(57)【要約】【課題】着脱し易い固定具及び該固定具を使う放熱装置を提供する。【解決手段】回路基板上の電子部品を冷却することに用いられ、ベース及び前記ベースから伸び出し且つ互いに平行な複数の放熱フィンを備える放熱器と、前記複数の放熱フィンの中の任意の２つの放熱フィンを囲んで移動可能に設けられ、各々は、対応する放熱フィンの側面に当接される当接部と、前記当接部の両端から伸び出し且つ前記電子部品の回路基板に固定することに用いられる２つの固定部と、前記２つの固定部の間に位置し且つ前記当接部から伸び出してから曲がって対応する放熱フィンの両端に当接する２つの位置決め部と、を備えてなる固定具と、を備える放熱装置である。【選択図】図1
2010103523.tif 000002
【特許請求の範囲】
【請求項１】
回路基板上の電子部品を冷却することに用いられ、
ベース及び前記ベースから伸び出し且つ互いに平行な複数の放熱フィンを備える放熱器と、
前記複数の放熱フィンの中の任意の２つの放熱フィンを囲んで移動可能に設けられ、各々は、対応する放熱フィンの側面に当接される当接部と、前記当接部の両端から伸び出し且つ前記電子部品の回路基板に固定することに用いられる２つの固定部と、前記２つの固定部の間に位置し且つ前記当接部から伸び出してから曲がって対応する放熱フィンの両端に当接される２つの位置決め部と、を備えてなる固定具と、
を備えることを特徴とする放熱装置。
【請求項２】
前記固定具は、前記放熱フィンの高さ方向に沿って移動できるように前記放熱フィンを囲んで設けられることを特徴とする請求項１に記載の放熱装置。
【請求項３】
前記位置決め部は、前記当接部に接続する連接段と、前記連接段に接続する当接段と、を備え、前記固定具に配置される放熱フィンの両端は前記２つの位置決め部の連接段の間に設けられ、該放熱フィンの２つの側面は前記２つの位置決め部の当接段と前記当接部との間に設けられることを特徴とする請求項２に記載の放熱装置。
【請求項４】
前記２つの固定具は、前記放熱器の最外側に位置する２つの放熱フィンを囲んで設けられることを特徴とする請求項１に記載の放熱装置。
【請求項５】
前記当接部は、前記放熱器の最外側に位置する１つの放熱フィンの内表面に接触する当接面と、前記放熱器のベースに接触する底面と、両端に位置する２つの端面と、を備え、前記当接部の端面に隣接する位置には前記底面から開設した切欠部である２つの開口があることを特徴とする請求項４に記載の放熱装置。
【請求項６】
前記位置決め部の連接段は、前記開口における前記当接部の端面に隣接する一側から外に向かって伸び出し、前記位置決め部の当接段は、前記当接部に平行することを特徴とする請求項５に記載の放熱装置。
【請求項７】
前記固定部は、前記当接部の端面と前記開口との間に位置する前記当接部の底面から伸び出す曲げ部と、前記曲げ部から伸び出す係合部と、を備えることを特徴とする請求項６に記載の放熱装置。
【請求項８】
放熱器を固定することに用いられる固定具であって、
当接部と、２つの固定部と、２つの位置決め部と、を備え、
前記２つの固定部は前記当接部の両端から伸び出して形成され、前記２つの位置決め部は前記２つの固定部の間に位置し且つ前記当接部から伸び出してから曲がることを特徴とする固定具。
【発明の詳細な説明】
【技術分野】
【０００１】
本発明は固定具及び該固定具を使う放熱装置に係り、特に着脱し易い固定具及び該固定具を使う放熱装置に関するものである。
【背景技術】
【０００２】
電子技術の急速な発展に伴い、電子部品（特に中央処理装置）の集積電路がますます複雑になり、発生する熱量もますます増加している。前記電子部品を冷却するために、放熱器を前記電子部品に装着する。
【０００３】
前記放熱器を、前記電子部品に確実に固定するために、固定具を使わなければならない。従来の固定具は、複数のネジによって、前記放熱器に固定される。前記固定具を前記放熱器から取り外す時、専用工具を必要とするので、操作が複雑になる。
【発明の開示】
【発明が解決しようとする課題】
【０００４】
以上の問題点に鑑み、本発明は、着脱し易い固定具及び該固定具を使う放熱装置を提供することを目的とする。
【課題を解決するための手段】
【０００５】
回路基板上の電子部品を冷却することに用いられ、ベース及び前記ベースから伸び出し且つ互いに平行する複数の放熱フィンを備える放熱器と、前記複数の放熱フィンの中の任意の２つの放熱フィンを囲んで移動可能に設けられ、各々は、対応する放熱フィンの側面に当接する当接部と、前記当接部の両端から伸び出し且つ前記電子部品の回路基板に固定することに用いられる２つの固定部と、前記２つの固定部の間に位置し且つ前記当接部から伸び出してから曲がって対応する放熱フィンの両端に当接される２つの位置決め部と、を備えてなる固定具と、を備える放熱装置である。
【０００６】
放熱器を固定することに用いられる固定具であって、当接部と、２つの固定部と、２つの位置決め部と、を備え、前記２つの固定部は前記当接部の両端から伸び出して形成され、前記２つの位置決め部は前記２つの固定部の間に位置し且つ前記当接部から伸び出してから曲がる。
【発明の効果】
【０００７】
従来の技術に比べて、前記固定具を前記放熱器の放熱フィンの高さ方向に沿って移動させることにより、前記放熱器から前記固定具を取り外すことができるので、操作が簡単である。前記固定具は、前記放熱器の任意の放熱フィンを囲んで設けられることができ、且つ異なる回路基板によって前記固定具の２つの固定部との間の距離を改変することができるので、前記固定具の適用性が優れる。
【図面の簡単な説明】
【０００８】
【図１】本発明の実施形態に係る放熱装置の分解図である。
【図２】図１に示す放熱装置の組立図である。
【発明を実施するための形態】
【０００９】
以下、図面を参照して、本発明に係る具体実施例の構成を詳細に説明する。
【００１０】
図１及び図２に示したように、本発明の実施形態に係る放熱装置１００は、放熱器１０と、前記放熱器１０を電子部品（図示せず）に固定するための２つの固定具２０と、を備える。
【００１１】
前記放熱器１０は、銅、アルミニウムなどのような伝熱性能が優れる金属から一体に成型される。前記放熱器１０は、ベース１１と、前記ベース１１の頂面から上に向かって伸び出し且つ前記ベース１１に直交する複数の放熱フィン１２と、を備える。前記複数の放熱フィン１２は、互いに平行し且つ等間隔に配置される。前記放熱器１０の最外側に位置する２つの放熱フィン１２１は、それぞれ内表面と、外表面と、を備える。
【００１２】
前記２つの固定具２０は、別々に前記放熱器１０の最外側に位置する２つの放熱フィン１２１の底端を囲んで設けられる。前記固定具２０は、金属から一体に成型される。前記固定具２０は、略矩形の当接部２１と、前記当接部２１の底部の両端から伸び出し且つ前記当接部２１に直交する２つの固定部２３と、前記２つの固定部２３の間に位置し且つ前記当接部２１から伸び出す２つの位置決め部２２と、を備える。
【００１３】
前記当接部２１は長片状であり、前記放熱フィン１２１の内表面に接触する当接面２１１と、前記当接面２１１に対向する側面２１２と、前記ベース１１に接触する底面２１３と、前記底面２１３に対向する頂面２１４と、両端に位置する２つの端面２１５と、を備える。前記当接部２１における前記２つの端面２１５に隣接する位置には、２つの矩形の開口２１６が開設される。前記開口２１６は、前記当接部２１の当接面２１１及び側面２１２を貫き且つ前記当接部２１の底面２１３から開設した切欠部である。
【００１４】
前記２つの固定部２３は、前記当接部２１の端面２１５と前記開口２１６との間に位置する底面２１３から伸び出して形成される。前記固定部２３は、前記当接部２１の底面２１３に接続する曲げ部２３１と、前記曲げ部２３１に接続する矩形の係合部２３２と、を備える。前記係合部２３２の中央にはネジ孔２３０が設けられる。
【００１５】
前記位置決め部２２は、前記当接部２１の当接面２１１に接続し且つ直交する連接段２２１と、前記連接段２２１の末端に接続し且つ前記当接面２１１に平行な当接段２２２と、を備える。前記２つの当接段２２２は、それぞれ前記２つの開口２１６に対応する。前記当接段２２２と前記当接面２１１との間に空間が形成される。
【００１６】
前記２つの固定具２０を前記放熱器１０に組み立てる時、前記２つの固定具２０の位置決め部２２と前記当接部２１との間の空間を別々に前記放熱器１０の最外側に位置する２つの放熱フィン１２１に対応させ、前記固定具２０を前記放熱フィン１２１の頂端から下に向かって移動させ、前記固定具２０の当接部２１の底面２１３を前記放熱器１０のベース１１に当接させる。この時、前記２つの固定具２０は、別々に前記放熱器１０の最外側に位置する２つの放熱フィン１２１の底端を囲んで設けられ、前記固定具２０の２つの位置決め部２２の連接段２２１は別々に前記放熱フィン１２１の両端に当接され、前記位置決め部２２の当接段２２２は前記放熱フィン１２１の外表面に当接され、前記当接部の当接面２１１は前記放熱フィン１２１の内表面に当接される。前記放熱フィン１２１は、その厚さ及び幅の方向で前記固定具２０に固定されるが、その高さの方向では前記固定具２０に固定されない。換言すると、前記固定具２０は、前記放熱フィン１２１の高さ方向に沿って移動することができる。前記固定具２０を前記放熱器１０の底端から上に向かって移動させて前記放熱器１０から取り外す。
【００１７】
前記固定具２０によって前記放熱器１０を電子部品に固定する時、まず前記固定具２０を前記放熱器１０に組み立てた後、ネジによって前記固定具２０の係合部２３２のネジ孔２３０を貫いて前記電子部品の回路基板のネジ孔に螺合して、前記放熱器１０の組み立てを完成する。
【００１８】
従来の技術に比べて、前記固定具２０を前記放熱器１０の放熱フィン１２の高さ方向に沿って移動させることにより、前記放熱器１０から前記固定具２０を取り外すことができ、操作が簡単である。前記固定具２０は、前記放熱器１０の任意の放熱フィン１２を囲んで設けられることができ、且つ異なる回路基板に応じて前記固定具２０の２つの固定部２３との間の距離を改変することができるので、前記固定具２０の適用性が優れる。
【００１９】
前記固定具２０における２つの固定部２３及び２つの位置決め部２２の位置は前記実施例に限定されるものではなく、それぞれ前記当接部２１の異なる側に設けられることができ、例えば、前記２つの固定部２３は、前記当接部２１の当接面２１１に設けられ、前記２つの位置決め部２２は前記当接部２１の側面２１２に設けられる。前記２つの固定部２３の延在方向は相反してもよい。前記２つの位置決め部２２の当接段２２２の末端を接続して、一体の位置決め部になってもよい。
【符号の説明】
【００２０】
１０            放熱器
１１            ベース
１２            放熱フィン
２０            固定具
２１            当接部
２２            位置決め部
２３            固定部
１００          放熱装置
１２１          放熱フィン
２１１          当接面
２１２          側面
２１３          底面
２１４          頂面
２１５          端面
２１６          開口
２２１          連接段
２２２          当接段
２３０          ネジ孔
２３１          曲げ部
２３２          係合部
【図１】
2010103523.tif 000003
【図２】
2010103523.tif 000004